(57)【要約】【課題】本発明は、室外機ベース板及びこれを含む空気調和機に関する発明であって、詳しくは、室外機の内部に装着される圧縮機またはアキュムレータのような冷媒容器部と室外機ベース板との結合力を増大させて設置安定性が向上できる発明を提供するためのものである。【解決手段】本発明は、室外機ケーシングと、前記ケーシングの内部に設けられる冷媒容器部と、前記冷媒容器部の下部に設けられる支え台と、前記ケーシングの下部に設けられるベース板と、前記ベース板から上方に突出して前記冷媒容器部を支持する支持部と、を含み、前記支持部は、前記支え台と離隔し、別途の締結部材により前記支え台と締結される第１支持部と、前記支え台と接触して前記支え台を支持する第２支持部と、を含むことを特徴とする空気調和機を提供する。【選択図】図３
2008151494.tif 000002
【特許請求の範囲】
【請求項１】
室外機ケーシングと、
前記ケーシングの内部に設けられる冷媒容器部と、
前記冷媒容器部の下部に設けられる支え台と、
前記ケーシングの下部に設けられるベース板と、
前記ベース板から上方に突出して前記冷媒容器部を支持する支持部と、
を含み、
前記支持部は、前記支え台と離隔し、別途の締結部材により前記支え台と締結される第１支持部と、
前記支え台と接触して前記支え台を支持する第２支持部と、
を含むことを特徴とする空気調和機。
【請求項２】
前記締結部材はスクリューからなり、
前記支え台の周辺部と前記第１支持部には、各々前記スクリューが通過する第１、２締結ホールが設けられて、相互一定間隔離隔した状態でスクリュー結合され、
前記第２支持部は、前記支え台の下面の中央部と接触するように設けられることを特徴とする請求項１に記載の空気調和機。
【請求項３】
前記第２支持部は、前記第１支持部より高く突出して形成されることを特徴とする請求項２に記載の空気調和機。
【請求項４】
前記支え台の周辺部の下面は、前記支え台の中心部の下面より高く形成されて前記第１支持部と離隔するように配置されることを特徴とする請求項２に記載の空気調和機。
【請求項５】
前記第１支持部と前記第２支持部は相互離隔していることを特徴とする請求項１に記載の空気調和機。
【請求項６】
前記冷媒容器部は、圧縮機と、前記圧縮機と連結されるアキュムレータとを含むことを特徴とする請求項１に記載の空気調和機。
【請求項７】
室外機用ベース板において、
前記ベース板から上方に突出し、前記室外機の内部に設けられる冷媒容器部の支え台と一定間隔離隔した状態で締結部材により締結される第１支持部と、
前記ベース板から上方に突出し、前記冷媒容器部の支え台の下面と接触して前記冷媒容器部を支持する第２支持部と、
を含むことを特徴とする室外機用ベース板。
【請求項８】
前記第１支持部の上面の高さより高く形成されることを特徴とする請求項７に記載の室外機用ベース板。
【請求項９】
前記支え台の周辺部の下面は、前記支え台の中心部の下面に比べて高く形成されることを特徴とする請求項７に記載の室外機用ベース板。
【請求項１０】
前記第１支持部と前記第２支持部は、相互離隔して形成されて前記第１支持部と離隔するように配置されることを特徴とする請求項７に記載の室外機用ベース板。
【発明の詳細な説明】
【技術分野】
【０００１】
本発明は、室外機ベース板及びこれを含む空気調和機に関し、より詳しくは、室外機の内部に設けられる圧縮機やアキュムレータ、または、冷媒貯蔵タンクのように冷媒を受容する冷媒容器部と室外機の下部のベース板との結合力を増大させることができる発明に関する。
【背景技術】
【０００２】
一般に、空気調和機は、室内機と室外機に分けられるが、室内気には室内熱交換器及び室内ファンが設けられ、室外機には室外熱交換器、室外ファン、圧縮機及びアキュムレータ、そして冷媒保管タンクなどが設けられている。
【０００３】
室外機の底面にはベース板が設けられて、このようなベース板の上に前述した室外機の内部の各種装置が設けられるが、このような装置が設置できるようにベース板にはその上部から上方に突出した支持部が設けられて、このような支持部の構造はベース板自体の強度を補強する役割をし、支持部の構造は図１に詳細に示されている。
【０００４】
図１に示すように、圧縮機、アキュムレータ、そして冷媒タンクのような冷媒容器部１の下部には支え台３が設けられ、ベース板５にはこのような支え台３の底面を支持する支持部７が突出して形成され、支え台３の周辺部とこれに対応する支持部７の縁部分にはスクリュー締結がなされるように第１、２締結ホール１０、１１が設けられる。
【０００５】
支持部７の上面には前記支え台３の底面が固着してあり、支持部７の上面は平平に形成されているため、支持部７と支え台３の下面の中心部の間に形成される支持力と、支持部７と支え台３の下面の周辺部の間に形成される支持力はほぼ同一であると見ることができる。
【０００６】
ところが、従来は、支持部７と支え台と３がスクリュー９により締結された状態で室外機が移動される場合、車両または汽車などにより運搬されるその移動過程の中で持続的に発生する振動などによって、スクリュー９に対してトルク（Ｔ）が発生してスクリュー９が解けることになることで、室外機の内部の配管などのように衝撃に脆弱な構造物を破損させる問題点が発生した。
【発明の開示】
【発明が解決しようとする課題】
【０００７】
本発明は、前記のような問題を解決するためのものであって、室外機の内部に設けられる冷媒容器部の締結力を増大させることで、冷媒容器部の設置安定性が向上できる支持構造を提供することをその目的とする。
【課題を解決するための手段】
【０００８】
このような目的を達成するための本発明は、室外機ケーシングと、前記ケーシングの内部に設けられる冷媒容器部と、前記冷媒容器部の下部に設けられる支え台と、前記ケーシングの下部に設けられるベース板と、前記ベース板から上方に突出して前記冷媒容器部を支持する支持部と、を含み、前記支持部は、前記支え台と離隔し、別途の締結部材により前記支え台と締結される第１支持部と、前記支え台と接触して前記支え台を支持する第２支持部と、を含むことを特徴とする空気調和機を提供している。
【０００９】
また、前記締結部材はスクリューからなり、前記支え台の周辺部と前記第１支持部とには、各々前記スクリューが通過する第１、２締結ホールが設けられて、相互一定間隔離隔した状態でスクリュー結合され、前記第２支持部は、前記支え台の下面の中央部と接触するように設けられることを特徴とする。
【００１０】
また、前記第２支持部は、前記第１支持部より高く突出して形成されることを特徴とする。
【００１１】
また、前記支え台の周辺部の下面は、前記支え台の中心部の下面より高く形成されて前記第１支持部と離隔するように配置されることを特徴とする。
【００１２】
また、前記第１支持部と前記第２支持部は相互離隔していることを特徴とする。
【００１３】
また、前記冷媒容器部は、圧縮機と、前記圧縮機と連結されるアキュムレータとを含むことを特徴とする。
【００１４】
また、前記ベース板から上方に突出し、前記室外機の内部に設けられる冷媒容器部の支え台と一定間隔離隔した状態で締結部材により締結される第１支持部と、前記ベース板から上方に突出し、前記冷媒容器部の支え台の下面と接触して前記冷媒容器部を支持する第２支持部と、を含むことを特徴とする室外機用ベース板を提供する。
【００１５】
また、前記第１支持部の上面の高さより高く形成されることを特徴とする。
【００１６】
また、前記支え台の周辺部の下面は、前記支え台の中心部の下面に比べて高く形成されることを特徴とする。
【００１７】
また、前記第１支持部と前記第２支持部は、相互離隔して形成されて前記第１支持部と離隔するように配置されることを特徴とする。
【発明の効果】
【００１８】
本発明によれば、支持部と締結部材との間の締結力が格段に増大するため、車両などによる移動中に発生する振動により締結部材にトルクが加えられても、このようなトルクに対する抵抗力が増大する。
【００１９】
したがって、圧縮機やアキュムレータのような重い冷媒容器の設置安定性が向上するので、このような冷媒容器が動く危険が減ることになって、冷媒配管などのような衝撃に脆弱な部分の破損や毀損を予防することができる。
【発明を実施するための最良の形態】
【００２０】
以下、添付した図面を参照しつつ本発明の好ましい実施形態に対して説明する。
【００２１】
図２は、本発明による空気調和機の室外機を図示したものであって、室外機ケーシング２０は、上板２１、側板２３、及びベース板２５から構成され、前記室外機ケーシング２０の内部には、室外熱交換器３３及び送風ファン３０が設けられ、圧縮機３６とアキュムレータ３７から構成された冷媒容器部３５が設けられているが、前記冷媒容器部３５と、前記送風ファン３０及び前記室外熱交換器３３とは区切り板２６により区切られる。
【００２２】
前記上板２１には、前記送風ファン３０により外部に吐出される空気を案内する吐出口２２が設けられ、前記側板２３の中の一部には外部空気が吸入される吸入口２４が設けられる。
【００２３】
前記ベース板２５には、前記室外熱交換器３３と前記冷媒容器部３５とが固着される支持部４０が形成されており、特に、前記冷媒容器部３５が固着されて支持される支持部４０は、前記冷媒容器部３５に設けられた支え台３８、３９の周辺部と締結部材により締結される第１支持部４１と、前記支え台３８、３９の中心部の底面と接触して、これを支持する第２支持部４２とを含んでいる。
【００２４】
ここで、前記締結部材はねじ４５から構成されることが好ましい。
【００２５】
一方、前記第１支持部４１と第２支持部４２を別途に設けた理由は、前記支え台３８、３９と第１支持部４１とが締結部材であるスクリュー４５により締結された状態で、前記第２支持部４２が前記支え台３８、３９の下面の中心部を若干持ち上げることにより、前記支え台３８、３９の周辺部と前記第１支持部４１との間の締結力を増大させるためである。
【００２６】
図３は、第１、２支持部４１、４２に冷媒容器部３５及び前記支え台３８、３９が固着されたことを示す側断面図であって、前記第２支持部４２の高さが前記第１支持部４１の高さより高く形成されており、この高さの差はＧと表示される。
【００２７】
この状態で、前記支え台３８、３９が前記第１、２支持部４１、４２に置かれることになれば、前記支え台３８、３９の中心部の下面が前記第２支持部４２と接触することになり、前記支え台３８、３９の周辺部の下面は、前記第１支持部４１と一定間隔（Ｇ）だけ離隔して配置されるが、前記第１支持部４１と前記支え台３８、３９の周辺部には第１締結ホール３８ａ、３９ａと第２締結ホール４１ａが設けられているので、前記第１、２締結ホール３８ａ、３９ａ、４１ａを貫通するスクリュー４５により前記第１支持部４１と前記支え台３８、３９が締結される。
【００２８】
ここで、前記スクリュー４５の端部にはナットのような別途の締付部材を必要としないが、これは前記第１支持部４１に形成された第１締結ホール４１ａの大きさが最初には前記スクリュー４５の直径より小さく形成されるため、前記スクリュー４５が前記第２締結ホール３８ａ、３９ａを通過して前記第１締結ホール４１ａに挿入される場合、前記第１締結ホール４１ａの内径を広めながら、前記第１締結ホール４１ａと前記スクリュー４５とが結合されるためである。
【００２９】
前記第２支持部４２が前記支え台３８、３９の中心部を支えている状態で、前記第１支持部４１と前記支え台３８、３９の周辺部との間に一定の間隔を維持したままに、これらが前記スクリュー４５により締結されれば、前記スクリュー４５の締結力により前記支え台３８、３９の周辺部には前記支え台３８、３９と前記第２支持部４２との間に面接触した部分を中心にしたモーメントが発生し、このようなモーメントの方向は、前記支え台の周辺部の下面に図示された太い矢印により表示される。
【００３０】
ところが、前記支え台３８、３９の周辺部は、前記第１支持部４１の厚みよりはるかに厚い鉄板で構成されるため、ほぼ変形が生じず、むしろ前記スクリュー４５の回転によって前記第１支持部４１の第１締結ホール４１ａの周りの部分が上方に若干突出することになる。
【００３１】
このような変形により、前記第１締結ホール４１ａと前記スクリュー４５との締結力が増大し、振動による一定程度のトルク（Ｔ’）が前記スクリュー４５に加えられても前記スクリュー４５の締結が解除されることを防止できる。
【００３２】
図４は、本発明の他の実施形態を示すものであって、前記第２支持部４２の高さは、前記第１支持部４１の高さと等しいか、または低く形成されるが、前記第１支持部４１が前記支え台３８、３９の周辺部の下面と離隔し、前記第２支持部４２は前記支え台３８、３９の中心部の下面と面接触できるように前記支え台３８、３９の周辺部の下面の高さがその中心部の下面の高さに比べて高く形成されている。
【００３３】
そして、このような高さの差はＧ”と表されるが、このような配置により実施形態１のようなメカニズムにより第１支持部４１とスクリュー４５との締結力を増大させることができるのであり、このような第２実施形態でも外力により発生する室外機の振動による一定程度のトルク（Ｔ”）が前記スクリュー４５に加えられても前記スクリュー４５の締結が解けなくなる。
【００３４】
図５ａは、前記冷媒容器部の中の１つである圧縮機での解けトルクを測定したものであるが、ここで、解けトルクとは、締結ホールとスクリューの締結が解除されることに必要とする最小限のトルクをいう。
【００３５】
１つの圧縮機に４個の支持部が形成されて、各々の支持部に締結ホールが設けられた場合に、従来の解けトルクの平均値は５９．５ｋｇｆ・ｃｍであるが、本発明は６７．７５ｋｇｆ・ｃｍの平均値が算出されており、圧縮機での平均解けトルクは約１３％増加した。
【００３６】
図５ｂは、アキュムレータでの解けトルクを測定したデータであるが、ここでも４個の締結ホールがある場合、従来の技術と本発明での解けトルク値とを比較すると、従来の技術は６０．２５ｋｇｆ・ｃｍを示したが、本発明の場合では６５．５ｋｇｆ・ｃｍの解けトルクが測定されており、約８．７％程度増加したことが分かる。
【図面の簡単な説明】
【００３７】
【図１】従来技術による支持部を示す側断面図である。
【図２】本発明による室外機の分離斜視図である。
【図３】本発明の第１実施形態を示す側断面図である。
【図４】本発明の第２実施形態を示す側断面図である。
【図５ａ】従来技術と本発明による解けトルクを測定した比較表である。
【図５ｂ】従来技術と本発明による解けトルクを測定した比較表である。
【符号の説明】
【００３８】
２５    ベース板
３５    冷媒容器
３８、３９    支え台
４１    第１支持部
４２    第２支持部
４５    スクリュー
【図１】
2008151494.tif 000003
【図２】
2008151494.tif 000004
【図３】
2008151494.tif 000005
【図４】
2008151494.tif 000006
【図５ａ】
2008151494.tif 000007
【図５ｂ】
2008151494.tif 000008